(57)【要約】  本願は、コンテナ装置（１）を有するドアのドアフレーム（２）に関する。コンテナ装置（１）は配達物を受け取ることに適し、ドアフレーム（２）に取外し可能に固定されてもよく、それにより、コンテナ装置（１）がドアフレーム（２）に固定されているとき、ドアフレーム（２）により囲まれる空間がコンテナ装置（１）により閉じられる。
2020510506.tif 000002
【特許請求の範囲】
【請求項１】
ドアフレームとドアとコンテナ装置との組み合わせであって、前記コンテナ装置は配達物を受け取ることに適し、
前記コンテナ装置は、該コンテナ装置が前記ドアフレームに取外し可能に固定されるように構築及び配置され、それにより、前記ドアが開き、前記コンテナ装置が前記ドアフレームに固定されているとき、前記ドアフレームにより囲まれる空間が前記コンテナ装置により閉じられる、ドアフレームとドアとコンテナ装置との組み合わせ。
【請求項２】
前記ドアは８０〜１００ｃｍの幅を有し、かつ／あるいは前記ドアは建物の前面ドア又はフラット／アパートのドアであり、かつ／あるいは前記コンテナ装置は７５〜９０ｃｍの幅、１８５〜２００ｃｍの高さを有する、請求項１に記載のドアフレーム。
【請求項３】
ドアフレームに取外し可能に固定可能なコンテナ装置であって、それにより、前記ドアフレームに取り付けられたドアが開き、当該コンテナ装置が前記ドアフレームに固定されているとき、前記ドアフレームにより囲まれる空間が当該コンテナ装置により閉じられ、当該コンテナ装置は、１つのサイドに少なくとも１つのロック可能ドアをさらに有し、前記ロック可能ドアは小包サービスにより開けることが可能であり、それにより、前記小包サービスにより配達される品物は当該コンテナ装置で確実に受け取り可能である、コンテナ装置。
【請求項４】
当該コンテナ装置はアラームシステム及び／又は監視カメラを含む、請求項３に記載のコンテナ装置。
【請求項５】
少なくとも２つのコンパートメントであり、前記２つのコンパートメントのうち少なくとも１つは冷却可能である、少なくとも２つのコンパートメント、又は、４つのコンパートメントであり、少なくとも２つのコンパートメントは冷却可能であり、前記冷却されたコンパートメントのうち１つは冷凍機コンパートメントである、４つのコンパートメント、をさらに有する請求項３又は４に記載のコンテナ装置。
【請求項６】
円錐形ボルトであり、該円錐形ボルトが前記ドアフレームに係合して当該コンテナ装置を前記ドアフレームに固定しているとき、当該コンテナ装置を前記ドアフレーム内に整合させる、円錐形ボルト、をさらに有し、前記円錐形ボルトは、好ましくはロック機構に接続される、請求項３乃至５のうちいずれか１項に記載のコンテナ装置。
【請求項７】
ロック機構と、前記ロック機構の対向サイドにおける拡張部品と、をさらに有する請求項３乃至５のうちいずれか１項に記載のコンテナ装置。
【請求項８】
前記少なくとも１つのドアは、当該コンテナ装置が前記ドアフレームから取り外されているとき当該コンテナ装置がビルトインキッチンに一体化可能であるように形成され、かつ／あるいは、当該コンテナ装置は５５〜６５ｃｍの奥行きを有する、請求項３乃至７のうちいずれか１項に記載のコンテナ装置。
【請求項９】
当該コンテナ装置は車輪の上にセットされ、好ましくは任意の方向で当該コンテナ装置の移動を可能にする、請求項３乃至８のうちいずれか１項に記載のコンテナ装置。
【請求項１０】
さらに、少なくとも１つのコンパートメントにバーコードリーダ及び／又はＲＦＩＤリーダ及び／又はインダクションベースの電源を有し、かつ／あるいは制御システムを有し、前記制御システムは、インターネットに接続され、ロック機構による前記ドアフレームへの固定、及び／又は前記少なくとも１つのドアへのアクセスを可能にすることによる配達物の確保を制御する、請求項３乃至９のうちいずれか１項に記載のコンテナ装置。
【請求項１１】
前記少なくとも１つのコンパートメントは、スタック可能ボックスが当該コンテナ装置で受け入れ可能なように形成され、前記ボックスは、ＲＦＩＤチップ及び／又はバッテリを任意で有し、それにより、前記ボックスは追跡可能であり、好ましくはプログラム可能である、請求項５乃至１０のうちいずれか１項に記載のコンテナ装置。
【請求項１２】
当該コンテナ装置は、壁、好ましくは外壁の、据え付け手段に取り付け可能である、請求項３乃至１１のうちいずれか１項に記載のコンテナ装置。
【請求項１３】
当該コンテナ装置は、家具に取り付け可能であり、あるいは凹部に据え付け可能である、請求項３乃至１２のうちいずれか１項に記載のコンテナ装置。
【請求項１４】
請求項３乃至１３のうちいずれか１項に記載のコンテナ装置を使用して小包又は食料品を配達及び／又はピックアップする方法。
【発明の詳細な説明】
【技術分野】
【０００１】
本発明は、配達物を受け取ることに適するコンテナ装置を有するドアのドアフレーム、コンテナ装置、品物／配達物を輸送するための標準化されたボックス、及びコンテナ装置を使用して配達物を受け取る方法に関する。より詳細には、本発明は、ドアが開けられている間にドアフレームにセットできるコンテナ装置に関し、それにより、コンテナ装置がドアフレームに固定されている間、家又はアパートはロックされる。コンテナ装置はドアとして機能し、それにより、小包サービスが、受取人がいない間に配達を行うための確実な空間としてコンテナ装置を利用することができる。
【背景技術】
【０００２】
ここ数年、通信販売事業は絶えず成長を続けている。特に、通信販売事業における電子商取引の割合は急激に増加している。
【０００３】
古典的な又はインターネットベースの通信販売事業は、顧客にカタログ又はウェブサイトから製品／品物を選ばせる。ひとたび品物が注文されると、それらは、通常は小包サービス（parcel  services）を採用することにより、パッケージ化され、顧客に発送される。小包サービスは、注文を顧客に輸送し、場合に応じて顧客の住居又は職場において、それを顧客に手渡すことになる。
【０００４】
簡潔さのため、以下の文章はアパート、又はフラット、又は自宅若しくは家を参照するが、これは、意図される配達場所としての事務所空間又は他の建物を除外することを意図するものではない。
【０００５】
配達及び手渡しを成功させるためには、顧客が配達の間に存在することが重要であるが、必ずしもそうではない。
【０００６】
関与する小包サービスは、顧客が配達時に常に存在しているわけではないという事実を補うための戦略を開発してきた。採用される戦略は多種多様であり、予め合意された引き渡しスポットに小包を置いていくことから、元の受取人が配達時に自宅にいない場合には、意図された受取人の隣人にパッケージを受け取らせること、複数のコンパートメントを有する受け取り構造、又はサービス提供者の最も近い駅に小包を発送し、受取人にその都合の良い時に小包をピックアップさせることに及ぶ。
【０００７】
上記の解決策はすべて、異なる欠点を有する。受取人が配達時に自宅にいないため、小包又は発送が受取人に配達できないとき、パッケージの配達人は、例えば、小包を少なくとも一時的に受け取る意志のある隣人に到達しようと試みることができ、それにより、元の受取人は、自身が帰宅したとき、隣人のところで小包をピックアップすることができる。しかしながら、これは配達人にとって非常に時間のかかる事業であり、なぜならば、配達人は、パッケージを受け取る意志のある隣人を見つけて、パッケージが隣人に配達されたことを元の受取人に知らせるフォームに記入する必要があるからである。
【０００８】
別の方法として、顧客と小包サービスとの間の契約を介して通常手配される引き渡しポイントに関する合意がある。これもまた欠点を有する。例えば、そのような契約は、販売業者が使用する可能性のある各小包サービスとの間で作成される必要があり、それは、小包の配達の前に達せられる必要がある複数の契約につながる。さらに、元の受取人は、どの小包サービスが販売業者により実際に選択されているかを必ずしも認識しておらず、したがって、引き渡しポイントに関する必要な合意がなされていることを必ずしも確認できない。さらに、契約は通常、ひとたび小包が引き渡されると小包サービスはいかなる損害又は盗難に対してももはや責任を負わないように起草されるため、不利が生じる。
【０００９】
複数の小包サービスが選択した他の選択肢は、小包又はパッケージの受け取り構造を建造することであり、これは１日のうち営業時間又は２４時間のいずれかの間にアクセス可能であり、これに小包が配達され、次いでその後、元の受取人によりピックアップされる。
【００１０】
しかしながら、配達構造は、複数の制限及び欠点を有する。配達構造は、複数のドア（例えば、各受け取り小包に対して１つ）を通常有し、該ドアは、顧客が自身を受取人として識別した後に開けられ、それにより、元の受取人が小包を取り出すことができる。したがって、このような構造が一定数の顧客に配達オプションを提供することになる場合、個々の開放機構を有する同様に多くのドアと制御セクションとが、公共アクセス可能エリアに設置される必要がある。
【００１１】
これらの配達構造に必要な技術及び床面積は、特にいたずら及び盗難防止が必要なため、大型構造を高価にする。さらに、営業日の終わりに使用コンパートメントを空にする受取人が少なすぎる場合、翌日の配達に利用可能な空きスペースが不十分になり、その結果、小包サービスによりさらに別の解決策が開発され、現在ほとんど採用されている。
【００１２】
このシナリオでは、受取人、又は隣人、又は受け取り構造のいずれにも配達できなかった小包は、対応する小包サービスの店舗又は駅に運ばれ、ここで、小包は、販売業者に返送される前、所定の日数の間、そのままである。小包は、その時間の間、通常は営業時間の間、元の受取人によりピックアップ可能である。これは、複数の欠点を有する。すなわち、店舗は、元の受取人により最終的にピックアップされるべきすべての小包を収納するために十分な量の床面積を必要とし、一時的に保管される大きな価値に起因していたずら防止が必要であり、また、顧客がその小包をピックアップしたいとき、ピーク時間の間、通常は週末に、余分な人員を必要とする。
【００１３】
要するに、利用可能なシステムのいずれも、顧客にとって便利であり、かつ小包サービスにとって費用効率の高い実用的な解決策を提供しない。
【００１４】
さらに、配達のための上記解決策のいずれも、冷蔵を必要とする腐敗しやすいアイテムの配達を可能にしない。今日まで、このような品物の配達は、顧客が配達時に指定された配達住所にいること、又は配達人がその住所で家屋へ監督なしのアクセスを有することを一般に必要とする。
【００１５】
現在採用されているロジスティックシステムのさらなる問題は、品物が販売業者により通常個々にパッケージ化され、あらゆる販売業者がその独自のパッケージを送ることである。これらのパッケージは、確立された標準が存在しないため、標準サイズを通常有さない。このことは、小包の取り扱いに関する複数の問題につながる。例えば、すべてのパッケージが異なるサイズ形状で来ると、貨物の安全な輸送及び適切な固定を保証することは複雑化する。最終的に、パッケージは異なる負荷を支える可能性があり、それにより、パッケージは、スタック内の他のパッケージを損傷することのないある程度までだけスタックされる可能性がある。
【００１６】
上述の問題のいくつかは、従来技術において対処されている。
【００１７】
独国特許出願公開第20  2016  101  841号は、小包の配達に使用でき、小包サービスにより外側から及び受取人／顧客により内側からアクセスできるように、壁の穴内に取り付けられるように設計されたキャビネット又は戸棚を開示している。この従来技術のキャビネットは、外壁が戸棚の寸法で穴を有するように建造される必要があるため、主要な構築作業を伴わないアパート又は家に設置されるのには適さない。単にこのようにして、戸棚の１つのサイドのみが意図されたように外側に面することになる。
【００１８】
米国特許第6,415,552号は、広範囲の配達可能製品を受け取るために複数のコンパートメントを露出させるよう開けることができるドアを設けられた建物の外壁に関する。したがって、コンパートメントの設置に関しては、独国特許出願公開第20  2016  101  841号と同じ問題が当てはまる。
【００１９】
国際公開第97/12186号は、対向するサイドに２つのドアを有する冷蔵庫を開示しており、それにより、冷蔵庫は、壁に、あるいは、アパートのドア又は家／建物の前面ドアなどのドアに取り付け可能である。しかしながら、この文献は、ドア及び／又はドアフレームを改造することなくドアフレーム内に配達構造又は配達装置が配置できる手段による簡単な解決策を提供できていない。さらに、冷蔵を必要としない配達に使用できるコンパートメント又は空間を開示できていない。
【００２０】
特開平11-336446号は、建物の入口ドアから長方形の間隔の内側に、少なくともパネル本体が直立して接触するように構成された宅配ボックスに関するものである。
【００２１】
米国特許出願公開第2006/0179724号は、配達物保管のための機器、システム、及び方法に関する。配達物保管機器は、品物の個々の配達を可能にするための外側の開口を含む。
【００２２】
米国特許第1,469,359号は、特に家庭用品の受け入れのためのサービスキャビネットの改善に関する。
【発明の概要】
【００２３】
従来技術に鑑みて、本発明の目的は、配達物を受け取ることができ、かつ建物の外壁又は実際には何らの壁を改造する必要なく迅速な設置を可能にするシステムを提供することであり、同時に、小包サービスから小包を受け取るための安全で確実な空間を提供する。
【００２４】
この問題は、請求項１記載のコンテナ装置を有するドアフレーム、及び請求項３記載のコンテナ装置により解決される。従属請求項は、本発明の有利な実施形態に関する。
【００２５】
本発明によるドアフレームは、配達物を受け取ることに適したコンテナ装置を有する。コンテナ装置はドアフレームに取り外し可能に固定されてよく、それにより、コンテナ装置がドアフレームに固定されると、ドアフレームにより囲まれた空間がコンテナ装置により閉じられる。したがって、コンテナ装置は、それがドアフレームに嵌合されているときドアとして機能し、受取人が自身の家／アパートを離れるときドアフレームにセットでき、それにより、コンテナ装置は小包サービスにとってアクセス可能になる。
【００２６】
コンテナ装置は、小包が小包サービスによりコンテナ装置内に預け入れられることを可能にする。コンテナ装置は、ドアが開いているときドアフレームにセットされ、したがって、家又はアパートを閉じることができ、あるいは代替的に、ドアは取り外され、コンテナ装置で置換されてもよく、これは、コンテナ装置が、受取人が自宅にいるときでさえドアとして機能することを意味する。
【００２７】
コンテナ装置の寸法は、有利には、以下に記載されるとおりである。コンテナ装置に様々なサイズのドアフレームとの互換性を持たせるために、前面ドア及びアパートドアに関する現状をまとめた。地域に依存して、使用ドアが前面ドアであるパーセンテージは、北ヨーロッパの３０％〜４０％から南ヨーロッパの８５％〜９０％まで変動するが、残りの多くはアパートドアである。
【００２８】
ドアは通常、建物に大きく依存することにより変動しない、標準寸法を有する。アパート又は一戸建て住宅のドアは、８０〜１００ｃｍの幅、及び約２ｍ（１９０ｃｍ〜２００ｃｍ）の高さを有する。
【００２９】
コンテナ装置のサイズを選択するとき、コンテナ装置は、最も一般的に使用されるクラスのドアサイズに適合するように寸法決めされる必要がある。したがって、コンテナ装置の幅は、より小さいコンテナ装置はより大きいドアフレームと組み合わせて使用できるため、それがドアの幅に関してより低いスペクトル（lower  spectrum）であるようにドアフレームにおいて使用できるように、サイズ決めされるべきである。コンテナ装置がより大きいドアのためのドアフレームで採用される場合は、コンテナ装置は、コンテナ装置自体とドアフレームとの間のギャップを埋めるための囲みフレームを設けられてもよい。
【００３０】
したがって、本発明の１つの利点は、上述のような幅及び高さを有するコンテナ装置が、ドアフレームを改造する必要なく、家又はアパートに現在設置されている広範囲のドアフレームに嵌合可能なことである。同時に、小包サービス及び販売業者は、設けられたコンテナサイズに対して調整し、それに応じて品物をパッケージ化することができる。
【００３１】
コンテナ装置は、１つのサイドに少なくとも１つのロック可能ドアを有する。ロック可能ドアは小包サービスにより開けることができ、それにより、配達される品物又は小包は小包サービスによりコンテナ装置内に預け入れできる。コンテナ装置は、１つのサイドに好ましくは２つ又は３つのドアを、より好ましくは４つのドアを有する。
【００３２】
これは、配達リクエストが取り扱われるとき異なるセクション／コンパートメントが開くことを可能にし、これは、セキュリティ及び汎用性を促進する。
【００３３】
元のドアが取り外されている間にコンテナ装置がドアとして使用されるとき、コンテナ装置の対向サイドに同様にドアを設置することが好ましく、それにより、小包サービスはコンテナ装置を１つのサイド（例えば、外側）から操作でき、一方で、顧客／受取人はコンテナ装置を他のサイド（例えば、内側）で／から操作する。
【００３４】
コンテナ装置は、一方で配達人を識別し、他方で建物及び／又は受け取った小包のさらなるセキュリティを提供するために、アラームシステム及び／又は監視カメラをさらに含むことができる。
【００３５】
コンテナ装置は、複数のコンパートメント、例えば、２つのコンパートメント、又は好ましくは３つのコンパートメント、より好ましくは４つのコンパートメントを含むことができる。コンパートメントの高さ及び幅は、上記でさらに詳細に説明されたように、最も一般的に採用されるドアフレームの寸法により制限される。
【００３６】
４つのコンパートメントの利点は、すべてのコンパートメントが高さにおいて十分な空間を提供し、同時に、最後のコンパートメントは依然として快適に到達できることである。
【００３７】
コンパートメントの少なくとも１つは、冷却又はさらには冷凍を提供できることが好ましく、それにより、食品のような腐敗しやすい品物、冷却を必要とする薬剤、又は冷凍食品が、必要な冷却チェーンが壊されずにコンテナ装置に配達され得る。したがって、コンテナ装置は、コンプレッサ、蒸発器、及び少なくとも１つの熱交換器又は冷却の代替手段を有することができる。コンテナ装置は、電気エネルギーを受け取ってコンプレッサ及び／又はコントローラを動作させるために、家のアパートの電源システムに結合できる。
【００３８】
ドアフレームを改造することが可能な場合、ドアフレームは、開口の方向に垂直な複数（例えば、４つ）の穴を備えることができる。コンテナ装置は、ドアフレームの穴に係合してコンテナ装置を上記ドアフレームに固定することができる円錐形ボルトを有してもよい。円錐形ボルトが使用されるとき、コンテナ装置は、ロック工程を開始するときに穴との大まかな整合しか必要なく、なぜならば、コンテナ装置は、ドアフレームの穴に入る円錐形ボルトにより整合されるからである。
【００３９】
あるいは、穴は、ドアフレームの上面に取り付けられるか又はドアフレームの内側向き部品に取って代わるように取り付けられる、さらなる部品に設けられてもよい。さらなる部品は、材料がコンテナ装置を固定するのに十分な強度である限り、木材、プラスチック、又は金属のような任意の材料で製造できる。さらなる部品は、好ましくは断面図においても長方形である、長い長方形の部品であってもよい。さらなる部品の長さは、１つのサイドに対する穴が１つのさらなる部品内に設けられるようなものであってもよい。しかしながら、また、各穴について１つのさらなる部品が設けられてもよい。
【００４０】
ドアフレームの改造が不可能又は許容できないとき、コンテナ装置は、ロック据え付け具が設けられているサイドと対向のサイドでドアフレームに当接する拡張部品を設けられてもよい。拡張部品は、ドアフレームとドアとの間の空間へ、又はちょうどドアフレームの切り抜き（cut  out）部分へ拡張してもよく、切り抜き部分において、ドアは、閉じた状態で当接する。拡張部品は、複数のセクションを有してもよく、かつ／あるいは、コンテナ装置がドアフレーム内にセットされているときにドアヒンジ間の空間に拡張するようにサイズ決めされてもよい。換言すれば、拡張部品は、ドアの高さ全体を覆う必要はない。
【００４１】
コンテナ装置は、拡張部品と対向のサイドにロック機構を有して、ドアが使用するのと同じ据え付け具を使用してコンテナ装置をドアフレーム内にロックしてもよい。
【００４２】
コンテナ装置は、コンテナ装置が採用されるアパート又は家に建造されたキッチンに合わせて形成及び色付けされた前面デザインを有してもよく、それにより、コンテナ装置がドアフレームから取り外されたとき、それはキッチンに移動され、上記キッチンの戸棚又は冷蔵庫として使用できる。
【００４３】
家の中の家具とマッチする前面デザインを有するコンテナ装置の１つの利点は、受取人が自宅にいてコンテナ装置をドアフレームから取り外しているとき、インテリアデザインから逸脱することなく、コンテナ装置が家の中に保管できることである。
【００４４】
コンテナ装置は、好ましくは、アパート又は家の中でコンテナ装置の容易な移動を可能にする車輪を有する。車輪を設けることにより、ドアフレームにおける、又は顧客／受取人が自宅にいて予め設置されたドアがアパート又は家を閉じるために使用されるときには家の中の異なる空間又は部屋におけるコンテナ装置の位置決めが、簡素化される。
【００４５】
あるいは、コンテナ装置は、壁、好ましくは外壁の、据え付け又は取り付け手段に据え付け又は取り付けできる。これは、コンテナ装置が指定されたスポットに配置されることを可能にし、人が家又はアパートを出て小包又は配達を予期する場合に、コンテナ装置をドアフレームに挿入する必要なく小包を受け取るためのコンテナ装置を設けることを可能にする。コンテナ装置はまた、家具に据え付け／取り付けされてもよく、あるいは凹部に据え付けられてもよい。
【００４６】
小包を追跡するために、コンテナ装置は、少なくとも１つのコンパートメント内、又は好ましくは全てのコンパートメント内にバーコードスキャナ及び／又はＲＦＩＤリーダを有し、それにより、小包の配達は、コンテナ装置へ挿入又は配達されたときに追跡できる。
【００４７】
コンテナ装置は、インターネットに接続され、コンテナ装置のドアフレームへの／内の固定を制御することができる、制御システムをさらに有してもよい。制御システムは、アラームシステム及び／又は監視カメラをさらに制御してもよい。制御システムはまた、コンテナ装置内のコンパートメント又は空間へのアクセスを制御して、一方で配達物を確保し、他方で小包サービスがコンテナ装置に配達物を預け入れることを可能にしてもよい。コントローラはまた、コンテナがドアフレームに固定されるロック機構を制御するために使用されてもよい。
【００４８】
コンテナ装置はまた、小包サービスが識別の後にパッケージを取り出し、パッケージ又は小包を返却住所に輸送することを可能にすることにより、元の販売業者又は供給業者への返却発送のために使用されてもよい。
【００４９】
従来技術に鑑みて、本発明の別の目的は、最大限の利用可能空間を利用してコンテナ装置内に受け入れることができるボックスを提供することにより、貨物のより安全な輸送及び固定、特により効率的な輸送を可能にするシステムを提供することである。
【００５０】
ボックスは再使用可能であり、バッテリ及び／又はＲＦＩＤチップを有し、それにより、ボックスは追跡可能であり、特にプログラム可能である。それにより、受け取り住所及び受取人を提示するラベルをプリントアウトする必要はないが、ボックス内のＲＦＩＤチップに受取人をプログラムする。ボックスの識別／ラベル付けの他の手段が可能であり、例えば、受取人住所若しくはバーコード又は双方を表示するｅ‐ＩＮＫディスプレイである。あるいは、個々の番号が各ボックスに割り当てられてもよく、それにより、ボックスの受取人はボックス内にプログラムされないが、受取人はロジスティックサービスシステム内の番号にマッピングされる。また、上述されたＩＤシステムを組み合わせて、例えば、各ボックスに個々の番号を提供し、同時にＲＦＩＤチップも採用して、各ボックスに受取人に関する情報を記憶することも可能である。
【００５１】
電子装置は、コンテナ装置内のインダクティブ充電器を使用して任意に充電できる再充電可能バッテリにより電力供給されてもよい。
【００５２】
ボックスは、元の受取人によりコンテナ装置内でプログラムされてもよい。これにより、ボックスは、望まれない又はレンタルのアイテム、又は通信販売会社又は小売業者により廃棄される必要のあるパッケージングを返却するために使用できる。
【００５３】
ボックスは、輸送のチェーン（ロジスティックチェーン）全体にわたり標準的なユニットパッケージが可能になるように標準を採用しようとする市場の誰もが使用できる。
【００５４】
ボックスは、ボックスへの気流を可能にするように、スリット又は開口を設けられてもよい。これは、ボックスが野菜又は他の食品のような腐敗しやすい品物の配達に使用されるときに特に有利であり、なぜならば、ボックスが冷却環境内にセットされると、冷気がボックス内に保管された品物に容易に流れる可能性があり、したがって、腐敗しやすい品物の冷却が強化されるからである。そのようなボックスを食品及び他の腐敗しやすい品物に使用することは、これらの品物が通常個々に包装されて多数の個々のアイテムをもたらし、これらが次いでボックス内で容易に組み合わせられる可能性があるため、特に有利である。
【００５５】
ボックスは、好ましくは、上端で５５〜６５ｃｍの幅、４０〜５０ｃｍの奥行き、及び下端で４５〜５５ｃｍの幅を有する。ボックスは、３５〜４５ｃｍの好ましい高さをさらに有する。コンテナ装置及びボックスの寸法は、上記説明のように、一戸建て建物の前面ドア又はフラット／アパートのドアの標準サイズに従って選択される。選択されるボックス寸法はコンテナ装置のサイズに関連し、そのサイズ及び準ずる有利な効果は上記で詳細に説明されたとおりである。
【００５６】
標準的なボックスサイズを使用し、一体化された電子装置を採用することにより、異なるサイズ及び異なる材料を使用する従来のパッケージの取り扱いよりも自動的な取り扱いの度合いを大幅に改善できる。
【００５７】
上述のボックスの他の利点は、すべてのボックスが等しい寸法を有し、コンテナ装置のすべてのコンパートメントで使用でき、小包が発送されない場合には、ボックスを使用することでコンテナ装置の１つのコンパートメント内にスタックできることである。
【００５８】
以下では、ボックスを収納するために特に作られたコンテナ装置をマルチボックスコンテナと呼ぶ。
【図面の簡単な説明】
【００５９】
【図１】フラットの前面ドア又はドアが開いているマルチボックスコンテナの断面図を示し、この断面は図２の線Ａ‐Ａに沿ってとられている。
【図２】ドアフレームにロックされたマルチボックスコンテナの断面図を示し、この断面は図１の線Ｂ‐Ｂに沿ってとられている。
【図３】マルチボックスコンテナのドアが閉じられているマルチボックスコンテナの断面図を示し、この断面は図１の線Ｃ‐Ｃに沿ってとられている。
【図４】果物又は他の品物を収容する配達ボックスとしてマルチボックスコンテナにおいて使用できるボックスを示す。
【発明を実施するための形態】
【００６０】
添付の図面において、同じ参照番号は、類似又は同一の要素に対して使用される。これらの要素の繰り返しの説明は省略される。したがって、要素の説明は、特定の図だけでなくいくつかの又は全ての図を参照し得る。
【００６１】
好適な実施形態のコンテナ装置１又はマルチボックスコンテナ１は、互いに上に（１つが別のものの上に）上に配置された４つのコンパートメント２６Ａ〜２６Ｄを有する。コンパートメントは、好ましくはキューブ形状である。４つのコンパートメント２６Ａ〜２６Ｄは全て、好ましくは実質的に同一の寸法を示す。
【００６２】
図１は、マルチボックスコンテナ１の断面平面図を示す。マルチボックスコンテナ１は、スチール又はアルミニウムで製造できるフレーム構造１００を有する。しかしながら、合板又は他の天然材料、ポリマー材料、複合材料、又は家具製造の分野で知られる他の材料のような異なる材料が使用されてもよい。マルチボックスコンテナ１は、必ずしもフレーム構造１００を有する必要はない。また、それは、密閉式の戸棚スタイル様式で製造されてもよい。図１に示す好適な実施形態において、マルチボックスコンテナ１の幅は８０ｃｍである。フレーム１００Ａ、１００Ｂの幅は５ｃｍである。フレームは主に、マルチボックスコンテナの左手側及び右手側に位置する。
【００６３】
好適な実施形態において、マルチボックスコンテナ１は、合計２１０ｃｍの高さを有し、コンパートメントは、４５ｃｍの高さ、６４ｃｍの幅、及び４８ｃｍの奥行きを有する。
【００６４】
コンパートメント２６Ａ〜２６Ｄの寸法は、幅６４ｃｍ及び奥行き４８ｃｍである。マルチボックスコンテナ１は、その背面に取り付けられた絶縁材料１１０を有する。この材料は、配達物を冷たく保つために、コンパートメントが使用されるところを熱的に絶縁している。また、この材料は、音響的絶縁特性を有する。ドア２４Ａ〜２４Ｄ及び絶縁材料１１０を含むマルチボックスコンテナ１の合計奥行きは、好適な実施形態において６０ｃｍである。６０ｃｍの奥行きが好ましいのは、なぜならば、それが、マルチボックスコンテナ１が配達物を受け取るためにドアフレーム２にセットされていないときにマルチボックスコンテナ１をより容易に保管することを可能にするからである。奥行き寸法は、マルチボックスコンテナ１が凹部又は空間に嵌合し、キッチン又はバスルームキャビネットと同一平面であることを可能にする。マルチボックスコンテナ１がドアフレーム２にセットされていないとき、それはさらにキャビネットとしても使用できる。このように、配達の受け取りとキャビネットとしての利用は、交互に行うことができる。これは、マルチボックスコンテナ１が、アパート又は家に存在する家具に一体化されるため、特に有利である。
【００６５】
図１は、標準的なドアフレーム２に据え付けられているマルチボックスコンテナ１を示し、該ドアフレーム２に対し、２つのサイド部品（side  parts）１０Ａ、１０Ｂが追加されている。サイド部品１０Ａ、１０Ｂは、例えばネジ１１Ａ、１１Ｂを使用することにより、元のドアフレーム２の上面に取り付けられる。あるいは、サイド部品１０Ａ、１０Ｂは、ドアフレーム２の内向きサイド部品に取って代わることができる。サイド部品１０Ａ、１０Ｂは、ドアフレーム２の面に実質的に平行な面に、かつサイド部品１０Ａ、１０Ｂの長手方向に実質的に垂直に、存在する軸に沿って伸長する穴１２Ａ、１２Ｂを設けられる。穴１２Ａ、１２Ｂは、円筒又は円錐形であってもよい。これらは、以下に説明するように、マルチボックスコンテナ１をドアフレーム２又はサイド部品１０Ａ、１０Ｂにロックする働きをする。
【００６６】
マルチボックスコンテナ１はボルト２０Ａ、２０Ｂを有し、その外端は、マルチボックスコンテナ１がドアフレーム２又はサイド部品１０Ａ、１０Ｂ内にロックされていないとき、マルチボックスコンテナ１の外側と同一平面であるか、あるいは内側に引き込まれている。マルチボックスコンテナ１がドアフレーム内に移動されると、ボルト２０Ａ、２０Ｂは、サイド部品１０Ａ、１０Ｂの穴１２Ａ、１２Ｂに整合する。マルチボックスコンテナ１がドアフレーム２のサイド部品１０Ａ、１０Ｂにロックされることになるとき、ボルト２０Ａ、２０Ｂは、少なくとも部分的に穴１２Ａ、１２Ｂから突出して係合するように移動され、それによりマルチボックスコンテナ１をドアフレーム２のサイド部品１０Ａ、１０Ｂに固定することができる。
【００６７】
サイド部品１０Ａ、１０Ｂは、材料がマルチボックスコンテナを固定するのに十分な強度である限り、木材、プラスチック、又は金属のような任意の材料で製造できる。サイド部品は、好ましくは断面図においても長方形である、長い長方形の部品であってもよい。好適な実施形態において、サイド部品の長さは、ドアフレームの１つのサイドにおける双方の穴が１つのサイド部品１０Ａ、１０Ｂ内に設けられるようなものである。しかしながら、また、各穴について１つのサイド部品（ドアフレームのサイドにつき複数のサイド部品１０Ａ、１０Ｂ）が設けられてもよい。
【００６８】
ボルト２０Ａ、２０Ｂの突出部は、好ましくは円錐形であり、その外側又は先端の寸法は、穴１２Ａ、１２Ｂより十分小さい。このように、マルチボックスコンテナ１は、ボルト２０Ａ、２０Ｂが穴１２Ａ、１２Ｂに整合するために精密に位置決めされる必要はない。むしろ、ボルト２０Ａ、２０Ｂの外端は、穴１２Ａ、１２Ｂに嵌合し、ひとたびそれらが穴に入るとマルチボックスコンテナ１の位置決めを支援し、それらの外方への動きを継続することになる。
【００６９】
マルチボックスコンテナの図１に示される上側コンパートメント２６Ａは、冷却／冷凍機能を設けられる。好適な実施形態において、２つの上側コンパートメント２６Ａ、２６Ｂは冷却／冷凍機能を設けられ、それにより、腐敗しやすい品物又は冷凍食品が配達され、最適な温度で維持されて、腐敗又は解凍を回避することができる。したがって、２つの上側コンパートメントは、高効率の冷却を保証するために絶縁体１１０を設けられる。ドア２４Ａ、２４Ｂもまた絶縁体１１１を設けられる。冷却を提供するために、２つの上側コンパートメント２６Ａ、２６Ｂは、冷却要素１１５Ａ、１１５Ｂを設けられる。
【００７０】
マルチボックスコンテナ１はカメラ２０Ａをさらに設けられ、カメラ２０Ａは、監視及びセキュリティを提供するが、小包サービス（すなわち、配達人）の識別にも使用可能である。肯定的識別の場合、マルチボックスコンテナ１のコントローラ４４は、ロック２２Ａ〜２２Ｄのうちの１つを動作させて、対応するドア２４Ａ〜２４Ｄのうちの１つを開き、それにより、小包サービスはコンパートメント２６Ａ〜２６Ｄ内にパッケージ又は別のアイテムを預け入れることができる。
【００７１】
図２は、マルチボックスコンテナ１の断面正面図を示し、マルチボックスコンテナはドアフレームのサイド部品１０Ａ、１０Ｂで固定されている。サイド部品１０Ａ、１０Ｂは、ネジ１１Ａ、１１Ｂにより壁に固定されている。マルチボックスコンテナ１は、上記説明のように、穴１２Ａ、１２Ｂと穴に係合する対応ボルト２２Ａ、２２Ｂとによりサイド部品に固定される。
【００７２】
コンパートメント２６Ａ〜２６Ｄは、パッケージ又は品物を預け入れるために小包サービスにより使用できる。上側３つのコンパートメント２６Ａ〜２６Ｃは、ボックス２００Ａ〜２００Ｃを設けられる。最下のコンパートメント２６Ｄは、従来的にパッケージ化された小包に使用される。コンパートメント２６Ａ〜２６Ｄは、ボックス２００の挿入を容易にするために、グライドレール２８を有してもよい。図２に示す実施形態では、コンパートメント２６Ａ、２６Ｂのみがグライドレール２８を備える。
【００７３】
好適な実施形態において、４つのコンパートメント２６Ａ〜２６Ｄの構成が説明され、コンパートメント２６Ａ〜２６Ｃの３つがボックス２００Ａ〜２００Ｃに使用されるが、本発明は、コンパートメント２６Ａ〜２６Ｄの数に関しても、マルチボックスコンテナ１にセットされるボックス２００Ａ〜２００Ｃ又はパッケージの数に関しても限定されない。
【００７４】
各コンパートメント２６Ａ〜２６Ｄはリーダ３０を設けられてもよく、リーダ３０は、バーコードスキャナ／バーコードリーダ及び／又はＲＦＩＤリーダであってもよい。これらのリーダ３０は、入ってくるパッケージ及び出ていくパッケージを追跡するために使用でき、後述するコントローラ４２に接続できる。
【００７５】
図２に示す上部部品４０は、コントローラ（図示せず）及び冷却システム（図示せず）と、マルチボックスコンテナ１を家又はアパートの電気システムに接続するコネクタとを有する。
【００７６】
冷却ユニットは、任意の従来の冷却ユニットであってもよいが、エレクトロラックスからの冷却ユニットは、それらが最も高いエネルギー効率を有するため好ましい。コントローラは、マルチボックスコンテナ１の中央制御ユニットであって、Ｗｉ‐Ｆｉ（登録商標）接続を有してもよく、それにより、マルチボックスコンテナ１は、インターネットに接続され、遠隔操作されることができる。コントローラはさらに、マルチボックスコンテナ１をサイド部品１０Ａ、１０Ｂに固定するために使用されるロック及び円錐形ボルト２０Ａ、２０Ｂを制御してもよい。ボルトの動きは、例えば、電動ソレノイド、ラックアンドピニオン駆動装置、又は当業者に知られる任意の他の手段を介して、動力化され（motorized）てもよい。
【００７７】
コントローラはさらに、配達人がコンパートメント２６Ａ〜２６Ｄのいずれかにアクセスすることを承認されているか、又は受取人が受け取った小包を取り出したいときに、ドア２４Ａ、２４Ｂを制御して開けてもよい。この承認は、異なる方法又はタイプの認証により提供できる。例えば、ドア（２４Ａ、２４Ｂ）のうちの１つにピンパッドが設けられてもよく、それにより、配達人又は受取人はピンを入力し、それにより、ピンが立証された場合にコンパートメント２６Ａ〜２６Ｄのいずれかへのアクセスを付与される。代替的に、又は追加的に、カメラ（２０Ａ、２０Ｂ）が接続されているコントローラは、顔認識機能を提供してもよく、それにより、配達人は、顔がパッケージの受取人によりアクセスを許可されている任意の顔にマッチしたとき、アクセスを付与される。スマートフォン、タブレットコンピュータ、又はパーソナルコンピュータで今日使用されている認証及び承認機能の多くは、この目的のために使用できる。
【００７８】
また、コントローラは、小包サービスによりボックスがマルチボックスコンテナ１内にセットされているとき、又は受取人が、望まれないアイテムを返却するために収集されるようボックス２００をマルチボックスコンテナ１内にセットしているとき、ボックス２００をプログラム又は追跡するためにインダクティブリーダ／充電器３２を使用してもよい。ボックスについては、以下でさらに詳細に説明する。
【００７９】
図３に、マルチボックスコンテナ１の断面側面図を示す。上側コンパートメント２６Ａ、２６Ｂのグライドレール２８は、コンパートメント２６Ａ、２６Ｂの奥行き全体にわたり設けられる。しかしながら、ボックス２００の挿入が容易にされる限り、グライドレール２８はまた、低減された長さのものであってもよい。
【００８０】
コンパートメント２６Ａ〜２６Ｄは、ボックス２００に設けられた電子部品を充電するインダクティブ充電器３２／結合手段３２をさらに設けられ、これは、図４に関して詳細に説明する。
【００８１】
ドア２４Ａ、２４Ｂは、ドアハンドル２５を設けられる。好適な実施形態において、冷却されたコンパートメント２６Ａ、２６Ｂと、冷却システムを備えないコンパートメント２６Ｃ、２６Ｄとを分離するために、４つのコンパートメント２６Ａ〜２６Ｄについて２つのドア２４Ａ、２４Ｂのみが示されているが、任意数のドアが可能である。ドアを完全に取り外し、マルチボックスコンテナ１内にボックス２００を固定することさえ可能である。しかしながら、一方で、冷却効率が高められ、他方で、盗難を阻止するためにドア又は何らかの種類の閉じたコンパートメントを必要とする従来的にパッケージ化された品物が受け取りできるように、ドア２４を設けることが好ましい。
【００８２】
マルチボックスコンテナ１は、車輪５０の上にセットされ、車輪５０は、アパート又は家の中でマルチボックスコンテナ１の容易な移動を可能にし、ドアフレーム２内でのマルチボックスコンテナ１の配置を容易にする。
【００８３】
以下、図４ａ〜図４ｃに関してボックスを詳細に説明する。好適な実施形態において、ボックス２００は、上端で６０ｃｍの幅及び５５ｃｍの奥行きを設けられる。下端はより小さく、それにより、図４ｃに示すように、空のボックス２００はスタックされてボックスを効率的に保管することができる。上側フレームは５ｃｍの高さを有し、マルチボックスコンテナ１を囲む。ボックス２００の高さは４０ｃｍであり、それにより、４つのボックスが、１９０〜２００ｃｍの高さを有するドアフレームに嵌合するマルチボックスコンテナ１に嵌合することができる。
【００８４】
マルチボックスコンテナの上述された寸法は、標準的なドイツのドアフレームの制限に起因して選択された。ボックス２００の寸法は、このような寸法を有するマルチボックスコンテナ１にボックスが有利に採用され得るように選択され、したがって、標準的なドアフレームの寸法にもリンクされる。ひとたびマルチボックスコンテナがドアフレームについて異なる標準を採用する国で使用されると、寸法はそれに応じて適合される必要がある。
【００８５】
マルチボックスコンテナの上端は、フレーム２０２を設けられ、フレーム２０２は、宛先／受取人を追跡及び設定するために使用されるボックス２００の電子システムを有する。各ボックス２００の電子システムは、従来採用されていたラベルに取って代わり、ＲＦＩＤを介して通信することができる。
【００８６】
ボックスの電子システムは、内容、受取人、配達及び／又は起点の住所などのような情報を記憶するメモリ機能を提供するチップ２０４を有する。チップは、ＲＦＩＤ能力を提供するアンテナを有する。電子システムは、バッテリ２０６をさらに有し、バッテリ２０６は、マルチボックスコンテナ１に設けられたインダクティブ充電器３２により充電できる。
【００８７】
ボックス２００は、冷却システムを有するマルチボックスコンテナ１にボックスが挿入されたとき、又は冷却された貨物空間を採用する配達車両において、外部からの換気を可能にして冷却を強化するために、スリット又は穴２０８を設けられてもよい。
【図１】
2020510506.tif 000003
【図２】
2020510506.tif 000004
【図３】
2020510506.tif 000005
【図４ａ）】
2020510506.tif 000006
【図４ｂ）】
2020510506.tif 000007
【図４ｃ）】
2020510506.tif 000008
【国際調査報告】
2020510506.tif 000009
2020510506.tif 000010
2020510506.tif 000011